(57)【要約】      （修正有）【課題】情報が読み取りにくくされる危険性を減らし、また情報を埋め込むための特別な画像を用意する必要がなくなる電子透かしパターンの表示方法及び情報保持具を提供する。【解決手段】電子透かしパターン１２で文字１１または背景画像を形成すると共に電子透かしパターン１２を画像の模様のごとく表示した画像１０として生成し、画像１０を固体に描画または付加する。【選択図】図１
2009118293.tif 000002
【特許請求の範囲】
【請求項１】
電子透かしパターンを文字、図形、記号、模様、またはこれらを組み合わせたロゴのいずれか一つを形成すると共に上記電子透かしパターンを上記画像の模様のごとく表示した画像として生成し、上記画像を固体に描画または付加することを特徴とする電子透かしパターンの表示方法。
【請求項２】
電子透かしパターンを文字、図形、記号、模様、またはこれらを組み合わせたロゴのいずれか一つを形成した部分の背景画像として生成することで、上記電子透かしパターンを上記背景画像の模様のごとく表示し、その背景画像を固体に描画または付加することを特徴とする電子透かしパターンの表示方法。
【請求項３】
前記固体は、樹脂材、金属材、セラミック材、木材、紙類、ガラス材、ゴム材、のいずれか一つまたはこれらの複数の素材から構成されていることを特徴とする請求項１または２に記載の電子透かしパターンの表示方法。
【請求項４】
前記画像または前記背景画像を前記固体上に直接描画し、または銘版に描画した後、
上記銘板を前記固体に付加することを特徴とする請求項３記載の電子透かしパターンの表示方法。
【請求項５】
文字の外形内の全面に人の目で見ることができる電子透かしパターンが配置され、上記電子透かしパターンが上記文字そのものとして形成されていることを特徴とする情報保持具。
【請求項６】
図形、記号、模様もしくはこれらの複数の組み合わせまたはこれらの１つもしくは複数と文字の組み合わせたものの外形内に人の目で見ることができる電子透かしパターンが配置され、上記電子透かしパターンがそれらの外形内に配置される模様のごとく表示されていることを特徴とする情報保持具。
【発明の詳細な説明】
【技術分野】
【０００１】
本発明は、電子透かしパターンの表示方法および情報保持具に関する。
【背景技術】
【０００２】
従来、企業の広告や商品にロゴを表示する際に特定の情報を埋め込む技術として、様々な工夫がなされている。
【０００３】
例えば、特許文献１では、宣伝用の映像にこの映像を識別するＱＲ（Ｑｕｉｃｋ  Ｒｅｓｐｏｎｓｅ）コードパターンを付加して、そのＱＲコードパターンをＣＣＤ（Ｃａｒｇｅ  Ｃｏｕｐｌｅｄ  Ｄｅｖｉｃｅ）機能付携帯電話等により撮影して送信してきた顧客に対し、そのＱＲコードパターンの一致をもって何らかの特典が受けられるというシステムが開示されている。
【０００４】
【特許文献１】特開２００７−４９５８４号公報
【発明の開示】
【発明が解決しようとする課題】
【０００５】
しかしながら、特許文献１に開示されている発明のように企業の広告宣伝時の映像にＱＲコード（登録商標）などの２次元コードが付されている場合、その２次元コードの部分に情報が埋め込まれていることを明示していることとなり、その２次元コードに落書きされ情報が読み取れなくなることが生ずる。また、画像の中に電子透かしを入れ外観からは全くその電子透かしが見えないようにしたものがあるが、その場合、情報を隠す為の元となる画像が必要である。
【０００６】
本発明は、上述した課題を鑑みてなされたものであり、電子透かしパターンの表示方法及び情報保持具を提供することを目的とする。
【課題を解決するための手段】
【０００７】
上述の課題を解決するために、本発明は、以下のように構成した。
【０００８】
すなわち本発明は、電子透かしパターンを文字、図形、記号、模様、またはこれらを組み合わせたロゴのいずれか一つを形成すると共に上記電子透かしパターンを上記画像の模様のごとく表示した画像として生成し、上記画像を固体に描画または付加することを特徴とする。
【０００９】
この方法を採用することで、情報が読み取りにくくされる危険性を減らし、また情報を埋め込むための特別な画像を用意する必要がなくなる。また、従来の２次元コードを付加した場合のように、文字やロゴ等以外のスペースを設ける必要もなく、２次元コード自体を付す方法より広告媒体や対象製品の美観が損なわれない。なお、電子透かしパターンで文字、図形、記号、模様、またはこれらの組み合わせたロゴを表示する場合について輪郭線の有無は問わない。
【００１０】
また、電子透かしパターンに埋め込む情報によっては、電子透かしパターンを付加した広告媒体や対象製品の物品管理、真贋管理、安全管理、トレーサビリティの確保などをおこなうことが可能である。
【００１１】
更に他の発明は、電子透かしパターンを文字、図形、記号、模様、またはこれらを組み合わせたロゴのいずれか一つを形成した部分の背景画像として生成することで、上記電子透かしパターンを上記背景画像の模様のごとく表示し、その背景画像を固体に描画または付加することを特徴とする。
【００１２】
この方法を採用することで、情報が読み取りにくくされる危険性を減らし、また情報を埋め込むための特別な画像を用意する必要がなくなる。また、仮に文字やロゴ等の面積が電子透かしパターンの読み取り可能な面積として不足し、読み取ることができない場合であっても、背景として表示することで上述した発明と同様の効果を得ることができる。
【００１３】
また、画像または背景画像は、ステガノグラフィとして使用するようにしてもよい。ステガノグラフィとは、秘密情報を何気なく別のメディアに埋め込んで第三者にその存在すらも気付かせない技術である。したがって、電子透かしパターンにより構成された画像が意味する情報と異なる情報を電子透かしパターンに埋め込んでおけばステガノグラフィとして応用することができる。
【００１４】
更に他の発明は、上述した発明に加え、固体が、樹脂材、金属材、セラミック材、木材、紙類、ガラス材、ゴム材、のいずれか一つまたはこれらの複数の素材から構成されていることを特徴とする。本発明では、固体となる広告媒体や商品などの素材として、樹脂材、金属材、セラミック材、木材、紙類、ガラス材、ゴム材の素材やこれら複数から構成される素材に対して使用することができる。
【００１５】
更に他の発明は、上述した発明に加え、画像または背景画像を固体上に直接描画し、または銘版に描画した後、銘板を固体に付加することを特徴とする。
【００１６】
このように構成することで、直接マーキングをする場合は早く描画でき、一方直接マーキングができない場合は銘板を利用することで、上述した発明と同様の効果を得ることができる。
【００１７】
更に他の発明は、文字の外形内の全面に人の目で見ることができる電子透かしパターンが配置され、電子透かしパターンが文字そのものとして形成されている情報保持具であることを特徴とする。
【００１８】
更に他の発明は、図形、記号、模様もしくはこれらの複数の組み合わせまたはこれらの１つもしくは複数と文字の組み合わせたものの外形内に人の目で見ることができる電子透かしパターンが配置され、電子透かしパターンがそれらの外形内に配置される模様のごとく表示されている情報保持具であることを特徴とする。
【００１９】
この情報保持具では、情報が読み取りにくくされる危険性が減少し、また情報を埋め込むための特別な画像を用意する必要がなくなる。また、背景画像中の電子透かしパターンが模様のごとく表示されているため、背景画像に違和感が生じないものとなる。
【発明の効果】
【００２０】
本発明は、情報が読み取りにくくされる危険性を減らし、また情報を埋め込むための特別な画像を用意する必要がなくなる電子透かしパターンの表示方法及び情報保持具を提供することができる。
【発明を実施するための最良の形態】
【００２１】
以下、図面を参照して、本発明の実施形態について説明する。
【００２２】
（第一実施形態：文字）
図１は、本発明の第１実施形態に係る電子透かしパターンを用いて文字を生成した画像の図である。この文字の態様で用いる電子透かしパターンは、従来のものと異なり人の目に見える形で電子透かしパターンが配置される。この電子透かしパターンはＱＲコード（登録商標）に必要不可欠な３点シンボルによる位置検出手段が必要ないため、一定の小さい範囲内に情報を埋め込んでも読み取ることができる。また、電子透かしパターンには繰り返し同一の情報を埋め込んであるため、電子透かしパターンの一部分を読み取るだけで情報を取得することができる。なお、本実施例における電子透かしパターンは、ＤＩＧＭＡＲＫ社の電子透かし技術を利用して作成したものである。
【００２３】
図１（Ａ）に示すように会社名「ＡＢＣ  Ｃｏｍｐａｎｙ」の文字１１を電子透かしパターン１２で表示した電子透かしパターン画像１０として生成する。なお、文字１１の輪郭線および電子透かしパターン画像１０の輪郭線は図中には表示してあるが、これらは無くしても構わない。また、生成された電子透かしパターン１２が、読み取りできる面積として不十分である場合には、図１（Ｂ）に示すように文字１１以外の背景を電子透かしパターン１２で表示して、文字１１を白抜きにするまたは文字１１とは異なる模様や色にする方法を採用してもよい。
【００２４】
このようにして生成された電子透かしパターン画像１０は、たとえばＡＢＣ会社が販売する製品である情報保持具が有するガラス面に描画して、当該製品の生産管理、真贋判定、トレーサビリティなどに利用することができる。すなわち電子透かしパターン中に、当該製品の製造日時、製造場所、機種名などを特定できる情報を埋め込んでおくことで生産管理やまた、他の利用方法として、ＡＢＣ会社の頒布する広告媒体（たとえば販売促進のためのＰＯＰ広告や会社案内パンフ）に電子透かしパターン画像１０をマーキングして同様の管理を行なうこともできる。なお、特定の者にだけ情報を伝えたいと考えた場合には電子透かしパターン画像１０にさらに秘密情報を埋め込んでステガノグラフィとして利用してもよい。
【００２５】
（第二実施形態：図形・記号）
図２は、本発明の第２実施形態に係る電子透かしパターンを用いて図形・記号を生成した画像の図である。この電子透かしパターンも第１実施例と同様にＤＩＧＩＭＡＲＫ社の電子透かし技術を用いたもので、電子透かしでありながら人の目に見えるパターンとなっている。
【００２６】
図１の文字１１と同様に図形・記号２１を電子透かしパターン２２で表示した電子透かしパターン画像２０として生成する。なお、図形・記号２１の輪郭線および電子透かしパターン画像２０の輪郭線は図中に表示してあるが、これらは無くしても構わない。また、描画された電子透かしパターン２２が、読み取りできる面積として不十分である場合には、図２（Ｂ）に示すように図形・記号２１以外の背景を電子透かしパターン２２で表示して、図形・記号２１を白抜きにするまたは図形・記号２１とは異なる模様や色にする方法を採用してもよい。
【００２７】
このようにして生成された電子透かしパターン画像２０は、上述した第一実施形態と同様の利用方法のほか、特定の図形や記号を付した意匠や看板等にマーキングして利用することもできる。
【００２８】
（電子透かしパターン画像生成装置の説明）
図３は、電子透かしパターン画像１０または電子透かしパターン画像２０を生成するための電子透かしパターン画像生成装置３０の機能概念図である。
【００２９】
電子透かしパターン画像生成装置３０は、ソフトウェアで実現される情報処理機能としては電子透かし情報量制御部３１、電子透かし情報取得部３２、ＣＲＣ（Ｃｙｃｌｉｃ  Ｒｅｄｕｎｄａｎｃｙ  Ｃｈｅｃｋ：巡回冗長検査）符号化部３３、ＥＣＣ（Ｅｒｒｏｒ  Ｃｈｅｃｋ  ａｎｄ  Ｃｏｒｒｅｃｔ：誤り訂正検査）符号化部３４、繰り返し符号生成部３５、電子透かし埋め込み部３６から構成される。
【００３０】
また、電子透かしパターン画像生成装置３０は、一般的なフォン・ノイマン型コンピュータであり、ハードウェアとしては図示しない制御部、記憶部、出力部、入力部から構成される。
【００３１】
制御部は、たとえばＣＰＵ（Ｃｅｎｔｒａｌ  Ｐｒｏｃｅｓｓｉｎｇ  Ｕｎｉｔ）である。また、記憶部は、たとえばＲＡＭ（Ｒａｎｄａｍ  Ａｃｃｅｓｓ  Ｍｅｍｏｒｙ）、ＲＯＭ（Ｒｅａｄ  Ｏｎ  Ｍｅｍｏｒｙ）である。出力部は、たとえばディスプレイである。入力部は、たとえばキーボードやマウスである。これらはバスを介して各々接続されている。
【００３２】
電子透かしパターン画像生成装置３０は、上述したソフトウェアで実現される情報処理機能をハードウェア資源により協働させて、電子透かし情報列を繰り返して生成される電子透かしパターン列をコンテンツ画像に埋め込む。なお、電子透かしパターン列をコンテンツ画像に繰り返して埋め込むこと、および電子透かし情報に訂正符号データ及び誤り訂正データを付加することで、電子透かし情報の読み取り時における誤検出の防止を図っている。
【００３３】
続いて、具体的に電子透かしパターン画像生成装置３０を用いて電子透かしパターン画像を生成する方法について説明する。
【００３４】
図４は、電子透かしパターン画像を生成するフローチャートを示した図である。図５は、電子透かし情報列（Ａ）と電子透かしパターン列（Ｂ）のビット列を示した図である。
【００３５】
はじめに、電子透かし情報として埋め込みたい情報と埋め込むべきコンテンツ画像を決定する（ＳＴＡＲＴ）。電子透かし情報は、たとえば１０桁からなる英数字とすることができる。コンテンツ画像は、たとえば電子透かしパターン画像として生成するための基となる文字画像であったり会社名を含むロゴ画像であったりする。
【００３６】
このコンテンツ画像は、従来と異なり文字やロゴの外形のみである。従来の場合は文字やロゴを構成する画像の情報を必要としていたが、この実施形態では、コンテンツ画像内の画素に情報を埋め込むのではなく、電子透かしパターンそのものが模様のごとく表示されるため、そのような情報、すなわちコンテンツ画像の内部の画素データは必要とされない。しかしながら従来のようにコンテンツ画像として外形の他に内部のデータをもつ画像を使用してもよい。なお、上述した電子透かし情報として埋め込みたい情報と埋め込むべきコンテンツ画像は電子透かしパターン画像生成装置３０の図示しない記憶部に記録されている。
【００３７】
はじめに図４のフローチャートの説明に用いる変数および情報量についての説明をする。
Ｈ・・・コンテンツ画像に埋め込み可能な総情報量である。
ｍ・・・電子透かし情報として埋め込む情報の情報量である。
ｃ・・・ＣＲＣ符号データとして埋め込む情報の情報量である。
ｐ・・・ＥＣＣ符号データとして埋め込む情報の情報量である。
Ｎ・・・電子透かし情報列（Ｎ＝ｍ＋ｃ＋ｐ）の情報量を示す変数である。
ｔ・・・電子透かし情報として埋め込む情報の個数を示す変数である。
Ｃ・・・コンテンツ画像に電子透かし情報列を埋め込む総個数を示す変数である。
【００３８】
電子透かしパターン画像生成装置３０は、図５（Ａ）に示すようにｍビットの電子透かし情報と、ｃビットのＣＲＣ符号データと、ｐビットのＥＣＣ符号データから構成されるＮビット（Ｎ＝ｍ＋ｃ＋ｐ）の電子透かし情報列を最初に生成する。そして、図５（Ｂ）に示すようにＮビットの電子透かし情報列を所定回数（Ｃ）繰り返して、Ｎ＊Ｃビットの電子透かしパターン列を最終的に生成する。なお、ｍビットの電子透かし情報が複数存在する場合、たとえば埋め込みたい情報Ａ（Ｎ１ビット）と情報Ｂ（Ｎ２ビット）という２個（ｔ＝２）の情報がある場合、それぞれ繰り返して埋め込むときは、電子透かしパターン列の総情報量はＮ＊Ｃビットではなく、Ｎ１＊Ｃ／ｔ＋Ｎ２＊Ｃ／ｔビットとなり、これらを生成することになる。以下に、ｔ＝１の場合の電子透かし情報を埋め込むための生成処理方法について具体的に説明する。
【００３９】
電子透かし情報量制御部３１は、主にコンテンツ画像に埋め込み可能な情報量から電子透かしパターンを埋め込む情報量について制御を行なう。
【００４０】
電子透かし情報量制御部３１は、まず電子透かし情報取得部３２によりｍ、ｃ、ｐの情報量を取得して電子透かし情報列の情報量をＮに代入する（ステップＳ１００）。また、電子透かし情報量制御部３１は、コンテンツ画像から埋め込み可能な情報量Ｈも取得する。なお、ｍ、ｃ、ｐに用いられるビット数は予め定められているものとする。
【００４１】
次に、電子透かし情報量制御部３１は、Ｎビットの電子透かし情報列の埋め込むべき個数Ｃ（Ｃは正の整数倍）を設定する（ステップＳ１０１）。なおＣは、電子透かしパターン画像生成装置３０の図示しない入力部からの入力により値が指定される場合や埋め込みたい電子透かし情報が複数ある場合に強制的にＣの値を設定することができる。
【００４２】
続いて電子透かし情報量制御部３１は、コンテンツ画像から埋め込み可能な情報量Ｈと埋め込むべき電子透かし情報の総情報量をＣ＊Ｎビット比較して電子透かし情報を何回繰り返して埋め込むか判定を行なう（ステップＳ１０２）。
【００４３】
電子透かし情報量制御部３１は、ステップＳ１０２の判定においてコンテンツ画像に埋め込み可能な情報量Ｈより電子透かし情報の総情報量Ｃ＊Ｎビットの方が大きいと判定した場合（Ｙｅｓ）は、コンテンツ画像に埋め込み可能な情報量となるようにＣから１を減算していき、電子透かし情報の総情報量Ｃ＊Ｎビットが埋め込み可能な情報量Ｈより小さくなるように制御する（ステップＳ１０３）。
【００４４】
なお、電子透かし情報量制御部３１は、複数の電子透かし情報Ｎ１、Ｎ２、Ｎ３・・・Ｎｔがある場合には、コンテンツ画像に埋め込まれる電子透かし情報の総合計数をＣとして固定し、各電子透かし情報をＣ／ｔ個ずつ埋め込むことができる。
【００４５】
その場合、電子透かし情報量制御部３１は、各電子透かし情報の情報量をもとに、電子透かし情報として埋め込む情報の個数ｔと、各電子透かし情報の重複回数Ｃ／ｔを求めて以後の処理を行なう。
【００４６】
ＣＲＣ符号化部３３は、ｍビットの電子透かし情報に対して誤りを検出するために生成多項方式に則りＣＲＣ符号化をおこなう（ステップＳ１０４）。
【００４７】
ＣＲＣ符号化部３３は、ｍビットの電子透かし情報にｃビットを付加する度にＣから１を減算する処理を行い、１≦Ｃの条件を満たさなくなるまで符号化処理を続ける。なお、ＣＲＣ符号化部３３は、図３に示すように生成されたＣＲＣ符号データとしてcビットをＥＣＣ符号化部３４と繰り返し符号生成部３５に渡す。
【００４８】
ＥＣＣ符号化部３４は、ｃビットのＣＲＣ符号データに対して誤り訂正符号化をおこなう（ステップＳ１０５）。
【００４９】
ＥＣＣ符号化部３４は、ｍ＋ｃビットの電子透かし情報にｐビットを付加する度にＣから１を減算する処理を行い、１≦Ｃの条件を満たさなくなるまで符号化処理を続ける。なお、ＥＣＣ符号化部３４は、図３に示すように生成されたパリティ検査データとしてｐビットを繰り返し符号生成部３５に渡す。
【００５０】
繰り返し符号生成部３５は、上述したｍビットの電子透かし情報と、cビットのＣＲＣ符号データと、ｐビットのパリティ検査データの値をそれぞれ受け取り、これらのデータで構成されるＮビットの電子透かし情報列をＣだけそれぞれ繰り返して連接させて電子透かしパターン列を生成する（ステップＳ１０６）。
【００５１】
繰り返し符号生成部３５は、Ｎ＊Ｃビットの電子透かしパターン列を電子透かし埋め込み部３６に渡す（ステップＳ１０７）。電子透かしパターン列を受け取った電子透かし埋め込み部３６は、コンテンツ画像の所定の範囲に電子透かしパターン列を埋め込む（ステップＳ１０７）。
【００５２】
なお、コンテンツ画像に対する電子透かしパターン列の埋め込み処理について、コンテンツ画像をＤＣＴ（Ｄｉｓｃｒｅａｔｅ  Ｃｏｓｉｎｅ  Ｔｒａｎｓｆｏｒｍ：離散コサイン変換）、ＤＦＴ（Ｄｉｓｃｒｅａｔｅ  Ｆｏｕｒｉｅｒ  Ｔｒａｎｓｆｏｒｍ：離散フーリエ変換）、ＤＷＴ（Ｄｉｓｃｒｅａｔｅ  ｗａｖｅｌｅｔ  Ｔｒａｎｓｆｏｒｍ：離散ウェーブレット変換）などにより空間周波数変換した領域において電子透かしパターン列を埋め込んでもよい。
【００５３】
なお、ＣＲＣ符号化部３４およびＥＣＣ符号化部３５について、誤り検出や誤り訂正に要求される精度によって、それぞれオプションの構成としてもよい。その場合は誤り検出、誤り訂正用のデータを両方とも生成しない、またはどちらか片方のみを生成して、電子透かし情報列として生成してもよい。
【００５４】
なお、上述した電子透かしパターン画像の生成方法はあくまでも例示であり、それ以外にも本発明の目的を逸脱しない範囲内で他の電子透かしパターン画像の生成アルゴリズムを採用することができる。
【００５５】
（電子透かしパターンをマーキングする手段の説明）
図１および図２で示した電子透かしパターン画像は、上述した生成方法を経て、マーキング手段により固体にマーキングされる。
【００５６】
マーキング手段の具体例の一つとしてレーザーマーカについて説明をする。なおマーキング手段は、ＹＡＧ（Ｙｔｔｒｉｕｍ  Ａｌｕｍｉｎｕｍ  Ｇａｒｎｅｔ）レーザー発振器やＣＯ２レーザー発振器を有するレーザーマーカのほか、ＵＶ（ＵＣ／ｔｒａ  Ｖｉｏｌｅｔ）印刷が可能な印刷機であってもよい。
【００５７】
図６は、第１実施形態及び第２実施形態で生成された電子透かしパターン画像１０、２０を対象物品にマーキングするためのレーザーマーカ４０の概略構成図である。
【００５８】
レーザーマーカ４０は、ヘッド部４１と、コントローラ４２とを備えている。また、図７は、レーザーマーカ４０のヘッド部４１とコントローラ４２の内部構成を示すブロック図である。
【００５９】
ヘッド部４１は、図７に示すようにレーザー発振器４１Ａ、スキャナ４１Ｂ、ハーフミラー４１Ｄを内蔵する。ヘッド部４１は、マーキングの対象物品Ｘに対向するように設置される。
【００６０】
レーザー発振器４１Ａは、ＣＯ２レーザーまたはＹＡＧレーザーで構成され、情報保持具となる対象物品Ｘの表面を局所的に加熱または切削してマーキング加工を行なうためのレーザービームＬを出力する。
【００６１】
スキャナ４１Ｂは、レーザー発振器４１Ａから出力されハーフミラー４１Ｄを介したレーザービームＬを水平方向に偏向させる水平偏向装置４１Ｂ１と、垂直方向に偏向させる垂直偏向装置４１Ｂ２とを有する。レーザー発振器４１Ａから出力されたレーザービームＬは、ハーフミラー４１Ｄ及びスキャナ４１Ｂを通って対象物品Ｘの表面に至る。そして、スキャナ４１Ｂの働きにより、電子透かしパターンのマーキングを行なうべき軌跡に沿ってレーザービームＬのスポットが対象物品Ｘの表面上を動く。
【００６２】
コントローラ４２は、レーザー発振器４１Ａ及びスキャナ４１Ｂを制御するためのマイクロプロセッサ４２Ａや、ヘッド部４１に対する指令及びデータの授受を行なうための通信ポート（ＣＯＭ）４２Ｂ、メモリ４２Ｃを備えている。コントローラ４２は、メモリ４２Ｃに記録されている電子透かしパターン画像にしたがってレーザービームＬの最適な軌跡を演算で求め、軌跡をその結果に基づいてレーザー発振器４１Ａ及びスキャナ４１Ｂを制御する。
【００６３】
メモリ４２Ｃは、マイクロプロセッサ４２Ａが実行する処理プログラム及びデータを記憶するためのＲＯＭ（Ｒｅａｄ  Ｏｎｌｙ  Ｍｅｍｏｒｙ）及びＲＡＭ（Ｒａｎｄａｍ  Ａｃｃｅｓｓ  Ｍｅｍｏｒｙ）を含む。
【００６４】
マイクロプロセッサ４２Ａは、通信ポート４２Ｂを介してコントローラ４２から与えられる指令にしたがって、レーザー発振器４１Ａとスキャナ４１Ｂを制御する。例えば、電子透かしパターン画像に従ってレーザービームＬを移動させるようにスキャナ４１Ｂを制御する。また、休止期間はレーザービームＬの出力を停止するようにレーザー発振器４１Ａを制御する。なお、ヘッド部４１にマイクロプロセッサ４２Ａを搭載して、コントローラ４２からの信号にしたがってレーザー発振器４１Ａとスキャナ４１Ｂを駆動する駆動回路を搭載する構成としてもよい。
【００６５】
続いて、レーザーマーカ４０によるマーキング処理について具体的に説明する。図８は、図６に示したレーザーマーカ４０によって電子透かしパターン画像データを対象物品Ｘにマーキングするフローチャート図である。
【００６６】
まず、マイクロプロセッサ４２Ａは、上述した電子透かしパターン画像データをメモリ４２Ｃから読み出す（ステップＳ２００）。
【００６７】
そして、マイクロプロセッサ４２Ａは、電子透かしパターン画像データのマーキングコード列（以下、「マーキング内容」とする）のマーキング順序を決定する（ステップＳ２０１）。マイクロプロセッサ４２Ａは、スキャナ４１ＢによるレーザービームＬの偏向角（ビームスポットの移動）ができるだけ小さくなるように最適の順序を決定する。
【００６８】
そして、マイクロプロセッサ４２Ａは、レーザービームＬのスポット軌跡を決定する（ステップＳ２０２）。マイクロプロセッサ４２Ａは、決定した順序と読み出したマーキング内容にしたがって、できるだけ最短となるようにスポット軌跡を決定する。なお、マイクロプロセッサ４２Ａは、レーザー出力を停止すべき期間（タイミング）も決定する。
【００６９】
そして、マイクロプロセッサ４２Ａは、決定されたレーザービームＬのスポット軌跡を時系列の座標データに変換し、メモリ４２Ｃに含まれたＦＩＦＯ（Ｆｉｒｓｔ  Ｉｎ  Ｆｉｒｓｔ  Ｏｕｔ）メモリに順次格納する（ステップＳ２０３）。
【００７０】
そして、マイクロプロセッサ４２Ａは、ＦＩＦＯメモリから時系列の座標データを順次読み出し、座標データをスキャナ４１Ｂに与えるべき電圧へ変換する（ステップＳ２０４）。なお、スキャナ４１Ｂは、前述のように、レーザービームＬを水平方向に偏向させる水平偏向装置と垂直方向に偏向させる垂直偏向装置とを有し、いずれの偏向装置も与えられた電圧に比例する偏向角度でレーザービームＬを偏向させる機能を有する。
【００７１】
そして、マイクロプロセッサ４２Ａは、スキャナ４１Ｂ及びレーザー発振器４１Ａを制御して、対象物品Ｘの表面にマーキング内容のマーキング処理を行なう（ステップＳ２０５）。
【００７２】
以上、本発明の実施の形態を説明したが、本発明はその要旨を逸脱しない限り種々変更実施できる。例えば、上述した電子透かしパターンで生成される文字や記号等とはまったく異なる情報を電子透かしパターンに埋め込んで表示させ、秘密裏に情報を伝達するステガノグラフィとして使用することもできる。
【００７３】
また、上述した電子透かしパターンを含んだ画像を製品にマーキングして表示させ、真贋判定の手段として用いることもできる。
【００７４】
また、例えば上述した情報保持具となる製品は、樹脂材、金属材、セラミック材、木材、紙類、ガラス材、ゴム材、のいずれか一つまたはこれらの複数の素材から構成されていてもよい。
【００７５】
また、例えば上述した電子透かしパターンで表示される画像または背景画像を製品上に直接描画し、または銘版に描画した後、銘板を上述した製品に付加してもよい。
【００７６】
また、図１（Ａ）に示すように文字の外形内の全面に人の目で見ることができる電子透かしパターンが配置され、その電子透かしパターンが文字そのものとして形成したものを直接描画した情報保持具としたり、銘板に描画した後にその銘板を接着または螺子等の固定具で製品に取り付けて情報保持具としてもよい。
【００７７】
また、図形、記号、模様もしくはこれらの複数の組み合わせまたはこれらの１つもしくは複数と文字の組み合わせたものの外形内に人の目で見ることができる電子透かしパターンが配置され、その電子透かしパターンがそれらの外形内に配置される模様のごとく表示されているものを貼付することで情報保持具としたり、または、そのような表示を直接描画した情報保持具であってもよい。
【産業上の利用可能性】
【００７８】
本発明は、情報を保持する全ての物品（答具など）に適用することができる。例えば、企業の広告媒体や商品に表示する文字やロゴ等に利用することができる。また、これらの文字やロゴ等に記録する情報により物品管理、真贋判定、ステガノグラフィとして利用することができる。
【図面の簡単な説明】
【００７９】
【図１】本発明の第１実施形態に係る電子透かしパターンを用いて文字を生成した画像の図である。
【図２】本発明の第２実施形態に係る電子透かしパターンを用いて図形・記号を生成した画像の図である。
【図３】電子透かしパターン画像生成装置の概要図である。
【図４】図３で示した画像生成装置により電子透かしパターン画像を生成するフローを説明するための図である。
【図５】図３で示した画像生成装置により生成されるビット列を示すもので（Ａ）は電子透かし情報列を示す図で、（Ｂ）は電子透かしパターン列のビット列を示した図である。
【図６】第１実施形態及び第２実施形態で生成された電子透かしパターン画像を対象物品にマーキングするためのレーザーマーカの概略構成図である。
【図７】図６に示すレーザーマーカのヘッド部とコントローラの内部構成を示すブロック図である。
【図８】図４に示すレーザーマーカによって電子透かしパターン画像データを対象物品Ｘにマーキングするフローチャート図である。
【符号の説明】
【００８０】
１０  電子透かしパターン画像
１１  文字
１２  電子透かしパターン
２０  電子透かしパターン画像
２１  図形・記号
２２  電子透かしパターン
Ｘ    対象物品（情報保持具）
【図１】
2009118293.tif 000003
【図２】
2009118293.tif 000004
【図３】
2009118293.tif 000005
【図４】
2009118293.tif 000006
【図５】
2009118293.tif 000007
【図６】
2009118293.tif 000008
【図７】
2009118293.tif 000009
【図８】
2009118293.tif 000010